(57)【要約】      （修正有）【課題】プラスチックフィルム製封筒の開封部を容易に切断でき、簡単に開封できるプラスチックフィルム製封筒を提供する。【解決手段】重ねた表プラスチックフィルム１と裏プラスチックフィルム２の下部が閉じられ、上部は開放されて開口部３が形成され、表プラスチックフィルム１の上部には、幅方向の折曲部７に沿って裏プラスチックフィルム２側へ折り曲げて開口部３を閉じて封緘する封緘片４が延設され、封緘片４の裏プラスチックフィルム側には接着層５が形成されるとともに、接着層５の表面に剥離シート６が貼られているプラスチックフィルム製封筒において、封緘片４の幅方向の折曲部７に切り離し線が形成され、切り離し線の上にテープ９が接着されるとともに、テープ９の一方の端又は両端に封筒から突出して摘まむことができる摘まみ部１０が形成されている。【選択図】図２
0003222938.tif 000002
【実用新案登録請求の範囲】
【請求項１】
重ねた表プラスチックフィルムと裏プラスチックフィルムの下部が閉じられ、上部は開放されて開口部が形成され、表プラスチックフィルムの上部には、幅方向の折曲部に沿って裏プラスチックフィルム側へ折り曲げて開口部を閉じて封緘する封緘片が延設され、封緘片の裏プラスチックフィルム側には接着層が形成されるとともに、接着層の表面に剥離シートが貼られているプラスチックフィルム製封筒において、
封緘片の幅方向の折曲部に切り離し線が形成され、この切り離し線の上にテープが接着されるとともに、テープの一方の端又は両端に封筒から突出して摘まむことができる摘まみ部が形成されていることを特徴とするプラスチックフィルム製封筒。
【請求項２】
重ねた表プラスチックフィルムと裏プラスチックフィルムの下部が閉じられ、上部は開放されて開口部が形成され、表プラスチックフィルムの上部には、幅方向の折曲部に沿って裏プラスチックフィルム側へ折り曲げて開口部を閉じて封緘する封緘片が延設され、封緘片の裏プラスチックフィルム側には接着層が形成されるとともに、接着層の表面に剥離シートが貼られているプラスチックフィルム製封筒において、
封緘片の幅方向の折曲部に２本の切り離し線が平行に形成され、この２本の切り離し線の間にテープが接着されるとともに、テープの一方の端又は両端に封筒から突出して摘まむことができる摘まみ部が形成されていることを特徴とするプラスチックフィルム製封筒。
【考案の詳細な説明】
【技術分野】
【０００１】
本考案は、プラスチックフィルム製封筒に関し、特に、開封部を容易に切断できて簡単に開封できるプラスチックフィルム製封筒に関する。
【背景技術】
【０００２】
ダイレクトメール、カタログなどを送付する際にプラスチックフィルム製封筒が利用されている。図５はプラスチックフィルム製封筒の一例を示し、プラスチックフィルム製封筒は、ポリプロピレン、ポリエチレンあるいはポリエステルなどのプラスチックフィルムで形成されている。重ねた表プラスチックフィルム１と裏プラスチックフィルム２の下部が閉じられるとともに、上部は開放されてダイレクトメールあるいはカタログなどの収納物を入れる開口部３が形成されている。表プラスチックフィルム１の上部は、開口部３を閉じて封緘する封緘片４が延設され、封緘片４の裏プラスチックフィルム２側には接着剤を塗布して接着層５が形成され、接着層５の表面に剥離シート６が貼られている。
【０００３】
プラスチックフィルム製封筒は、開口部３から収納物を入れた後、封緘片４の剥離シート６を剥がして接着層５を露出させ、封緘片４を折り曲げ部７でプラスチックフィルム２側に折り曲げて裏プラスチックフィルム２に接着層５を接着させて封緘する。
【０００４】
プラスチックフィルム製封筒を開けるには、プラスチックフィルムが高強度を有しているため、手で破ることができないので、封緘片を剥がしたり、あるいは開封部をハサミやカッターで切ったりして開封している。
【０００５】
しかしながら、封緘片を剥がす場合、接着層が強粘着性であるため、裏プラスチックフィルムから剥がしにくいので、容易に開封できないという欠点があるだけでなく、開封しても収納物を封筒から取り出す際に、開いた封緘片の接着層が収納物についたりして容易に取り出せなくなるなどの欠点もある。
【０００６】
また、ハサミやカッターで開封部を切って開封する場合、プラスチックフィルムが薄く且つ柔らかいので、切る際にプラスチックフィルムが曲がったりして安定しないため、切りづらくて開封しにくいという欠点がある。
【０００７】
そこで、プラスチックフィルム製封筒を容易に開封できるようにするため、封緘片の根元部近傍にその幅方向に沿って引き裂きテープを貼着し、この引き裂きテープを引っ張り上げてフィルムを引き裂いて開封することが提案されている（特許文献１参照）。
【先行技術文献】
【特許文献】
【０００８】
【特許文献１】実開平８−７８６号公報
【考案の概要】
【考案が解決しようとする課題】
【０００９】
しかしながら、前記特許文献１において、プラスチックフィルムは高強度を有しているので、引き裂きテープを引っ張り上げてもプラスチックフィルムを切断することは実際には容易ではない。
【００１０】
そこで、本考案はプラスチックフィルム製封筒の開封部を容易に切断できて簡単に開封できるプラスチックフィルム製封筒を提供するものである。
【課題を解決するための手段】
【００１１】
本願請求項１の考案は、重ねた表プラスチックフィルムと裏プラスチックフィルムの下部が閉じられ、上部は開放されて開口部が形成され、表プラスチックフィルムの上部には幅方向の折曲部に沿って裏プラスチックフィルム側へ折り曲げて開口部を閉じて封緘する封緘片が延設され、封緘片の裏プラスチックフィルム側には接着層が形成されるとともに、接着層の表面に剥離シートが貼られているプラスチックフィルム製封筒において、封緘片の幅方向の折曲部に切り離し線が形成され、この切り離し線の上にテープが接着されるとともに、テープの一方の端又は両端に封筒から突出して摘まむことができる摘まみ部が形成されていることを特徴とするプラスチックフィルム製封筒である。
【００１２】
本願請求項２の考案は、重ねた表プラスチックフィルムと裏プラスチックフィルムの下部が閉じられ、上部は開放されて開口部が形成され、表プラスチックフィルムの上部には、幅方向の折曲部に沿って裏プラスチックフィルム側へ折り曲げて開口部を閉じて封緘する封緘片が延設され、封緘片の裏プラスチックフィルム側には接着層が形成されるとともに、接着層の表面に剥離シートが貼られているプラスチックフィルム製封筒において、封緘片の幅方向の折曲部に２本の切り離し線が平行に形成され、この２本の切り離し線の間にテープが接着されるとともに、テープの一方の端又は両端に封筒から突出して摘まむことができる摘まみ部が形成されていることを特徴とするプラスチックフィルム製封筒。
【考案の効果】
【００１３】
本考案のプラスチックフィルム製封筒は、封緘片の幅方向の折曲部に切り離し線が形成され、この切り離し線の上にテープが接着されるとともに、テープの一方の端又は両端に封筒から突出して摘まむことができる摘まみ部が形成されているので、摘まみ部を摘まんで引っ張り上げれば、テープが切り離し線に沿ってプラスチックフィルムを容易に切断できるので、簡単に開封することができる。
【００１４】
また、封緘片は、開封後もプラスチックフィルムに接着されたままで接着層が露出することがないので、収納物を取り出す際に接着層が収納物についたりして容易に取り出せなくなることもない。
【図面の簡単な説明】
【００１５】
【図１】本考案のプラスチックフィルム製封筒の全体図で、（ａ）は表プラスチックフィルム側を示し、（ｂ）は裏プラスチックフィルム側を示す図である。
【図２】本考案のプラスチックフィルム製封筒の説明図で、（ａ）は封緘片を示し、（ｂ）は（ａ）の断面図、（ｃ）は剥離紙を剥いだ状態を示す図である。
【図３】本考案のプラスチックフィルム製封筒の開封の説明図で、（ａ）は封緘片を接着した裏プラスチックフィルム側を示し、（ｂ）は（ａ）の断面図、（ｃ）はテープで切り離し線を切断する状態を示し、（ｄ）は（ｃ）の断面図である。
【図４】（ａ）は２本の切り離し線を平行に形成し、２本の切り離し線の間にテープを接着した状態を示し、（b）は封緘片を接着した裏プラスチックフィルム側を示す図である。
【図５】従来のプラスチックフィルム製封筒の断面図である。
【考案を実施するための形態】
【００１６】
＜実施例１＞
本考案のプラスチックフィルム製封筒は、図４に示す従来のプラスチックフィルム製封筒と同じであり、ポリプロピレン、ポリエチレンあるいはポリエステルなどのプラスチックフィルムで形成されている。
【００１７】
図１〜図３において、プラスチックフィルム製封筒は、従来のプラスチックフィルム製封筒と同様に、重ねた表プラスチックフィルム１と裏プラスチックフィルム２の下部が閉じられるとともに、上部は開放されてダイレクトメールあるいはカタログなどの収納物を入れる開口部３が形成されている。表プラスチックフィルム１の上部は、開口部３を閉じて封緘する封緘片４が延設され、封緘片４の裏プラスチックフィルム２側には接着剤を塗布して接着層５が形成され、接着層５の表面に剥離シート６が貼られている。
【００１８】
本考案のプラスチックフィルム製封筒は、封緘片４の幅方向の折曲部７に、小さな孔が連続したミシン目などの、切り離ししやすい切り離し線８が形成され、この切り離し線８の上にテープ９が貼着される。テープは、切り離し線８に接着剤を塗布して接着、あるいはテープ９の片面に接着層を形成して接着してもよい。
【００１９】
テープ９には、切り離し線８の上に貼着後に、テープ９の一方の端又は両端をプラスチックフィルム製封筒の縁から外側へ突出させて摘まむことができる摘まみ部１０が形成されている。
【００２０】
以上の構成からなるプラスチックフィルム製封筒の使用方法について説明する。
【００２１】
ダイレクトメールあるいはカタログなどの収納物を開口部３から入れ、封緘片４の剥離シート６を剥いで接着層５を露出させた後、封緘片４を幅方向の折曲部７で裏プラスチックフィルム２側に折り曲げて裏プラスチックフィルム２に接着させて封緘する。
【００２２】
プラスチックフィルム製封筒から収納物を取り出す際には、摘まみ部１０を摘まんで引っ張り上げていくと、テープ９が切り離し線８を切断していき、切り離し線８を切断し終わると、表プラスチックフィルム１と封緘片４が切り離されて開封される。
【００２３】
＜実施例２＞
この実施例は、図４に示すように、２本の切り離し線８を平行に形成し、２本の切り離し線８の間にテープ９を接着する。その他の構成は実施例１と同様であり、同じ符号を伏している。
【００２４】
本実施例は、２本の切り離し線８の間の切断する領域のみにテープが接着されて引っ張り上げられるので、切断が容易になる。
【符号の説明】
【００２５】
１：表プラスチックフィルム
２：裏プラスチックフィルム
３：開口部
４：封緘片
５：接着層
６：剥離シート
７：折曲部
８：切り離し線
９：テープ
１０：摘まみ部
【図１】
0003222938.tif 000003
【図２】
0003222938.tif 000004
【図３】
0003222938.tif 000005
【図４】
0003222938.tif 000006
【図５】
0003222938.tif 000007